(57)【要約】【課題】よりフレキシブルに使用されることができ、その結果、より良好にその都度の要求に適合されることができる電子ハウジングを提供する。【解決手段】プリント基板（５）が基礎部分（３）内に配置されており、基礎部分（３）が、対向して位置する側に配置され支持レール（２）とプリント基板（５）とに対して垂直に延在する２つの側壁（７，８）を有しており、該側壁（７，８）に複数の固定装置、特に複数の開口（９，１０）が形成されており、それにより、別のプリント基板（１１）が選択的に、互いに垂直な少なくとも２つの空間方向で固定装置内に係止可能であるようになっているようにした。【選択図】図４
0003133052.tif 000002
【実用新案登録請求の範囲】
【請求項１】
支持レール（２）上に載設するための電子ハウジングであって、基礎部分（３）と、上側部分（４）と、少なくとも１つのプリント基板（５）と、電気的な導体を接続するための少なくとも２つの接続端子（６）または差込コネクタとが設けられており、基礎部分（３）と上側部分（４）とが互いに係止可能であり、基礎部分（３）が支持レール（２）上に係止可能であり、かつ接続端子（６）が電気的にプリント基板（５）に接続可能である形式のものにおいて、プリント基板（５）が基礎部分（３）内に配置されており、基礎部分（３）が、対向して位置する側に配置され支持レール（２）とプリント基板（５）とに対して垂直に延在する２つの側壁（７，８）を有しており、該側壁（７，８）に複数の固定装置、特に複数の開口（９，１０）が形成されており、それにより、別のプリント基板（１１）が選択的に、互いに垂直な少なくとも２つの空間方向で固定装置内に係止可能であるようになっていることを特徴とする電子ハウジング。
【請求項２】
側壁（７，８）が少なくとも部分的に上側部分（４）により覆われている、請求項１記載の電子ハウジング。
【請求項３】
上側部分（４）に複数のプリント基板ガイドが形成されており、該プリント基板ガイドにより、別のプリント基板（１１）が、特に別のプリント基板（１１）を前記プリント基板（５）に対して垂直に配置するとき、その位置で固定可能である、請求項１または２記載の電子ハウジング。
【請求項４】
固定装置が側壁（７，８）に配置され、かつプリント基板ガイドが上側部分（４）に配置されており、それにより、別のプリント基板（１１）が全３つの空間方向で電子ハウジング内に収容可能であるようになっている、請求項３記載の電子ハウジング。
【請求項５】
別のプリント基板（１１）が相互に前記プリント基板（５）を介して電気的に互いに接続されている、請求項１から４までのいずれか１項記載の電子ハウジング。
【請求項６】
別のプリント基板（１１）が相互に、個々のプリント基板（１１）に形成された差込コンタクトを介して電気的に互いに接続されている、請求項１から５までのいずれか１項記載の電子ハウジング。
【請求項７】
基礎部分（３）の下面に開口（１５）が形成されており、プリント基板（５）がコンタクト、特にピンコンタクト（１６）を有しており、該コンタクトが、支持レール（２）上への基礎部分（３）の係止時に、相応の対応コンタクト、特に支持レール（２）に配置されたバスコネクタ（１８）の相応のソケット（１７）内に差込可能である、請求項１から６までのいずれか１項記載の電子ハウジング。
【請求項８】
基礎部分（３）がロックを有しており、該ロックにより基礎部分（３）が支持レール（２）上に解離可能に結合可能である、請求項１から７までのいずれか１項記載の電子ハウジング。
【請求項９】
ロックが、ばね負荷され基礎部分（３）内に可動に配置された少なくとも１つのラッチ（２１）を有しており、該ラッチ（２１）が、ロックされた位置で、係止突起（２２）でもって支持レール（２）の脚片に係合すると共に、外部から接近可能なロック解除区分（２３）を有しており、該ロック解除区分（２３）により、ラッチ（２１）が、ロック解除された位置に移動可能である、請求項８記載の電子ハウジング。
【請求項１０】
種々異なる型式の接続端子（６）または差込コネクタがプリント基板（５）に接続可能である、請求項１から９までのいずれか１項記載の電子ハウジング。
【請求項１１】
上側部分（４）にカバー（２４）が特に旋回可能に配置されている、請求項１から１０までのいずれか１項記載の電子ハウジング。
【請求項１２】
カバー（２４）が透明の材料から成り、カバー（２０）の下に表示エレメント、例えばＬＥＤ、または操作エレメント、例えばキーまたは調整ポテンショメータが配置されている、請求項１１記載の電子ハウジング。
【請求項１３】
上側部分（４）、有利には狭幅面に、通気開口（２６）が形成されている、請求項１から１２までのいずれか１項記載の電子ハウジング。
【考案の詳細な説明】
【技術分野】
【０００１】
本考案は、支持レール上に載設するための電子ハウジング（Ｅｌｅｋｔｒｏｎｉｋｇｅｈａｅｕｓｅ）であって、基礎部分と、上側部分と、少なくとも１つのプリント基板と、電気的な導体を接続するための少なくとも２つの接続端子または差込コネクタとが設けられており、基礎部分と上側部分とが互いに係止可能であり、基礎部分が支持レール上に係止可能であり、かつ接続端子が電気的にプリント基板に接続可能である形式のものに関する。
【背景技術】
【０００２】
産業領域ならびに家庭領域における経過のますますの制御および自動化の傾向と、それと時を同じくした、プロセス中へのエレクトロニクスの直接的な分散化ならびにコンパクトで取付の容易な装置への電子構成群の小型化の傾向とにより、ますます適当な電子ハウジングが必要とされる。その際、一般には接続技術もハウジング内に統合されている。個々のハウジングはその際一般に直接支持レール上に取り付けられ、有利にはバスシステムを介して互いに接続されると共に、制御部に接続される。
【０００３】
その際、使用事例に応じて、多数の、そのサイズ、構造および機能の点で区別される種々異なるハウジング形態が存在する。これらのすべてのハウジングに共通して、その内部に電子的な構成群、大抵の場合プリント基板の形の電子的な構成群が配置されており、電子ハウジングにより接触および汚損から保護される。この種のハウジングは大抵の場合モジュール式に形成されている。その際、ハウジングは特にユニット構造原理（Ｂａｕｋａｓｔｅｎｐｒｉｎｚｉｐ）にしたがって構成されている。その結果、個々のハウジング部分は個別的にかつ迅速に１つの最適なハウジングへと編成される。
【０００４】
一般に、ハウジングはハウジング上側部分とハウジング下側部分とから成っている。その際、ハウジング上側部分は電気的な線路のための接続部を有しており、接続部はプラグコンタクトを介してハウジング下側部分に接続されており、ハウジング下側部分はバスシステムとの接続を形成する。個々のハウジングはその際、複数のハウジングが互いに隣接して１つの支持レール上に係止可能であるように形成されている。その結果、複数のハウジングは相俟って１つのハウジングブロックを形成する。その際、個々の隣接するハウジングもしくは個々の隣接する電子的な装置は有利には電気的に互いにコンタクト形成可能である。
【０００５】
支持レール上へのこの種のハウジングの固定は、ハウジング下側部分にロックエレメントが配置されていることにより実施される。その際、ロックエレメントは、ハウジングが支持レール上に載設されているとき、支持レールに係合する。ハウジング、ひいては電子的な装置を支持レールから解離するために、前記係止は解除されねばならない。そのために、一般にばね負荷されたロックエレメントはそのばね力に抗して引き戻されねばならない。
【０００６】
本考案が出発する公知のハウジング（『ＰＨＯＥＮＩＸ  ＣＯＮＴＡＣＴ  Ｋａｔａｌｏｇ  ＣＯＭＢＩＣＯＮ  ２００５（第３７８頁〜第３９３頁）』）では、確かに支持レール上へのハウジングの簡単な取付と、隣接する電子ハウジング相互の簡単な接続とが可能であるが、個々のハウジングは条件付きでのみ種々異なる装置に適合可能である。その結果、特に装置の電子回路の事後的な変更時、大抵の場合別のハウジングが必要である。
【非特許文献１】『ＰＨＯＥＮＩＸ  ＣＯＮＴＡＣＴ  Ｋａｔａｌｏｇ  ＣＯＭＢＩＣＯＮ  ２００５』
【考案の開示】
【考案が解決しようとする課題】
【０００７】
それゆえ本考案の課題は、冒頭で述べた形式の電子ハウジングを改良して、よりフレキシブルに使用されることができ、その結果、より良好にその都度の要求に適合されることができる電子ハウジングを提供することである。
【課題を解決するための手段】
【０００８】
上記課題を解決した本考案の構成によれば、冒頭で述べた形式の電子ハウジングにおいて、プリント基板が基礎部分内に配置されており、基礎部分が、対向して位置する側に配置され支持レールとプリント基板とに対して垂直に延在する２つの側壁を有しており、該側壁に複数の固定装置、特に複数の開口が形成されており、それにより、別のプリント基板が選択的に、互いに垂直な少なくとも２つの空間方向で固定装置内に係止可能であるようになっているようにした。
【考案の効果】
【０００９】
電子ハウジングの本考案による構成はそれにより、電子ハウジングのベース面に関して水平に配置され以下ベースプリント基板とも呼ぶプリント基板に対して付加的に、別のプリント基板をハウジング内に収容することを可能にする。その際、別のプリント基板の位置ならびに個数は可変である。
【００１０】
別のプリント基板が選択的に、互いに垂直な少なくとも２つの空間方向で基礎部分の側壁の固定装置内に係止可能であると上で述べたが、このことは、例えば２つまたは３つのプリント基板が互いに平行に、かつベースプリント基板に対して平行に電子ハウジング内に配置され得ることを意味している。やはり、２つまたは複数のプリント基板が互いに平行に、かつベースプリント基板に対して垂直に電子ハウジング内に取り付けられることもできる。基礎部分の側壁に形成される固定装置はそれにより、別のプリント基板を電子ハウジング内に互いに垂直な少なくとも２つの位置で取り付けることを可能にする。一般にはその際、大抵の場合、すべての別のプリント基板が互いに平行に、すなわちすべてが電子ハウジングのベース面に関して水平または垂直に配置されている。原理的にはただし、例えば複数の別のプリント基板のうちの１つのプリント基板がベースプリント基板に対して垂直に配置され、残りのプリント基板がベースプリント基板に対して平行に配置されていることも可能である。
【００１１】
本考案による電子ハウジングの有利な構成では、上側部分に複数のプリント基板ガイドが形成されており、プリント基板ガイドにより、別のプリント基板が、その位置もしくは姿勢で固定されることができる。それにより、基礎部分の側壁内での固定装置および上側部分内でのプリント基板ガイドの相応の配置および対応付け時に、別のプリント基板が全３つの空間方向で電子ハウジング内に配置され得ることが可能である。
【００１２】
別のプリント基板がベースプリント基板に対して平行に配置されているとき、一般にプリント基板の固定は、基礎部分の側壁に形成された固定装置で十分である。同じことは、別のプリント基板がベースプリント基板に対して垂直に、かつ基礎部分の両側壁に対して垂直に方向付けられているときにも言える。この事例でも、プリント基板は例えば、プリント基板の端面に取り付けられるかまたはフライス加工される保持突起により、側壁に設けられた開口内に差し込まれることができる。別のプリント基板がただしベースプリント基板に対して垂直に、かつ基礎部分の側壁に対して平行に電子ハウジング内に配置されるべきとき、別のプリント基板の位置の固定は、ベースプリント基板との機械的な結合を介する以外に、上側部分に形成されたプリント基板ガイドによってのみ可能である。
【００１３】
電子ハウジング内での別のプリント基板の配置次第で、個々のプリント基板を相互にならびにベースプリント基板に接続する種々異なる可能性が存在する。別のプリント基板がベースプリント基板に対して垂直に配置されているとき、個々のプリント基板相互の電気的な接続はベースプリント基板を介して実施されることができる。別のプリント基板がベースプリント基板に対して平行に配置されているとき、個々のプリント基板は相互に、有利には、プリント基板に形成された差込コンタクトにより電気的に互いに接続されると共に、ベースプリント基板にも接続されている。差込コンタクトはその際、例えば「ブレードコンタクト（Ｍｅｓｓｅｒｋｏｎｔａｋｔ）」として形成されていることができる。その結果、個々のプリント基板は、その対向して位置する両側に、それぞれ互いに対応するコンタクトブレードとフォーク状のコンタクト収容部とを有している。その結果、あるプリント基板のコンタクトブレードは、隣接するプリント基板のフォーク状のコンタクト収容部に係入する。
【００１４】
別の有利な構成では、本考案による電子ハウジングは、互いに隣接して配置された電子ハウジングが、１つの支持レール上への係止時に、自動的にバスシステムを介して電気的に互いに接続されているように形成されている。有利には、このことは本考案による電子ハウジングにおいて、支持レール内に配置されたバスコネクタにより実施される。そのために、基礎部分の下面には開口が形成されており、ベースプリント基板は相応のコンタクトを有している。コンタクトは開口を貫いて延在し、その結果、支持レール上への基礎部分の載設時、ベースプリント基板に配置されたコンタクトは自動的にバスコネクタの相応の対応コンタクトとコンタクト形成する。
【００１５】
支持レール・バスコネクタはその際、隣接して支持レールに配置された別のバスコネクタと差し合わされてバス接続部もしくはバス線路を形成し得るように形成されている。それにより、装置間の自動的なコンタクト形成が実現され得る。バスコネクタにより形成されるクロス接続を介して、個々の電子ハウジング内に配置された電子構成部分の電圧供給も、接続端子に配置された電気的な装置の電圧供給も実施されることができる。さらに、そうして実現されたバス接続を介して、隣接する装置相互の通信も実施されることができる。バス接続を介して、それにより、シリアルかつパラレルなデータ伝送も、エネルギ供給も実施され得る。
【００１６】
支持レール・バスコネクタの使用はさらに、個々の電子ハウジングもしくはその中に配置された装置の差込または引抜がバス接続の遮断に至らないという利点も有している。それにより、個々の装置は欠陥時に信号経路の遮断なしに簡単に交換され得る。それに加えて、機能拡張は付加的な配線なしに問題なく実施される。
【００１７】
支持レールからの電子ハウジングの意図しない離脱を回避するために、基礎部分は有利にはロックを有している。ロックにより、基礎部分、ひいては電子ハウジング全体は支持レール上に解離可能に結合可能である。ロックはその際、背景技術において自体公知であるように、ばね負荷されソケット部分内に可動に配置された少なくとも１つのラッチを有していることができる。ラッチは、ロックされた位置で、係止突起でもって支持レールの脚片に係合する。電子ハウジングが意図的に支持レールから取り外されるべきとき、ばね負荷されたラッチは、ねじ回しの先端を、そのために設けられた開口内に差し込むことにより引き戻されることができる。その結果、係止突起は支持レールを解放し、電子ハウジングは支持レールから離脱され得る。
【００１８】
本考案による電子ハウジングの、ここでなお簡単に言及すべき最後の暫定的な構成では、上側部分にカバーが特に旋回可能に配置されている。カバーはその際選択的に透明またはハウジング色に形成されていることができる。やはり、上側部分にカバーを固定する種々異なる可能性が存在する。カバーが透明な材料から成るとき、カバーの下には種々異なる表示エレメント、例えば種々異なるステータスＬＥＤ、または種々異なる操作エレメント、例えばキーまたは調整ポテンショメータが配置されていることができる。そうでなければ、カバーの下に形成された収容室は、装置仕様書または操作説明書の収容のために使用されることができる。
【００１９】
個々の点では、本考案による電子ハウジングを構成かつ変更する多数の可能性が存在する。それついては、請求項１に従属する請求項と、図面に関連する有利な実施例の説明を参照されたい。
【考案を実施するための最良の形態】
【００２０】
図面は、規格化された支持レール２上に係止され得る電子ハウジング１を示す。電子ハウジング１は基礎部分３と上側部分４とを有している。その際、基礎部分３はプリント基板５と、プリント基板５に接続された複数の接続端子６とを有している。
【００２１】
以下ベースプリント基板５とも呼ぶプリント基板５は、基礎部分３内に配置されており、そのために、基礎部分３内には、相応の、ここには示されていない係止突起または係止切欠が形成されている。接続端子６により、複数の線路がベースプリント基板５を介して、電子ハウジング１により包囲される電子的な装置もしくは電子回路に接続されることができる。電子ハウジング１の、以下さらに詳細に説明するフレキシビリティに基づいて、電子ハウジング１内には種々異なる電子的な装置、特に種々異なる電子回路単位が配置されることができる。
【００２２】
図２から、ただし特に図４〜図６からも、見て取れるように、基礎部分３は、対向して位置する側に配置され支持レール２とベースプリント基板５とに対して垂直に延在する２つの側壁７，８を有している。側壁７，８には複数の開口９，１０が配置されている。その際、開口９，１０は側壁７，８に、複数の別のプリント基板１１が選択的に全３つの空間方向で電子ハウジング１内に配置され得るように配置されている。そのために、プリント基板１１には、開口９，１０に対応する保持突起１２がフライス加工されており、開口９，１０内に係入し得る。
【００２３】
図４に示した実施例では、別のプリント基板１１が側壁７，８に、ベースプリント基板５に対して平行に延びるように固定されている。それとは異なり、図５に示した実施例のプリント基板１１は、ベースプリント基板５に対して垂直に、かつ側壁７，８に対して垂直に配置されている。図６に示した実施例では、プリント基板１１がやはりベースプリント基板５に対して垂直に、図５とは異なりただし基礎部分３の側壁７，８に対して平行に方向付けられている。図６に示した空間方向でのプリント基板１１の固定はその際、上側部分４に配置されたプリント基板ガイドにより実施される。プリント基板ガイド内にはプリント基板１１がその縁部でもって少なくとも部分的に差し込まれることができる。
【００２４】
基礎部分３と上側部分４との結合は、図示の有利な実施例では、係止結合により実施され、そのために、基礎部分３の側壁７，８に、相応の係止突起１３が形成され、かつ上側部分４に、係止突起１３に対応する係止開口１４が形成されている。基礎部分３と上側部分４との間の係止はその際、基礎部分３と上側部分４とが工具なしに互いに結合され得るように形成されている。上側部分４が基礎部分３から取り外されるべきとき、そのために、工具、例えばねじ回しの先端が、上側部分に設けられた係止切欠１４内に差し込まれることができる。それにより、係止突起１３は内方に係止切欠１４から押し出されることができる。
【００２５】
特に図３から見て取れるように、電子ハウジング１は基礎部分３を介して機械的に支持レール２上に係止可能であるだけでなく、電気的にも、隣接する電子ハウジング１もしくは装置に接続可能である。そのために、基礎部分３の下面には開口１５が形成されており、開口１５を通して、ベースプリント基板５に接続されたピンコンタクト１６が、電子ハウジング１から突出する。支持レール２上への基礎部分３の係止時、次いで、ピンコンタクト１６は、支持レール２内に配置されたバスコネクタ１８の相応のソケット１７とコンタクト形成する。略Ｔ字形のバスコネクタ１８はその際、複数のバスコネクタ１８が差し合わされ得るように形成されている。それにより、自動的に、支持レールもしくはバスコネクタ１８上に被せ嵌められる個々の電子ハウジング１間のクロス接続が生じる。そのために、バスコネクタ１８は、支持レール２の長手方向で方向付けられたピンコンタクト１９と、対向して位置する側に、対応するソケットコンタクトとを有している。バスコネクタ１８は相応の係止腕２０により支持レール２上に、バスコネクタ１８が支持レール２上への係止後にもなお支持レール２の長手方向でシフトされ得るように取り付け可能である。
【００２６】
基礎部分３、ひいては電子ハウジング１全体の、支持レール２上への機械的な固定は、基礎部分３内に配置された２つのラッチ２１により実施される。両ラッチ２１のうちの少なくとも一方は、支持レール２の長手方向に対して垂直に可動に配置され、かつばね負荷されている。ラッチ２１はそれぞれ１つの係止突起２２を有している。係止突起２２は、基礎部分３が支持レール２上に載設されているとき、支持レール２の水平の両脚片の下に回り込み、ひいては基礎部分３を支持レール２上に係止する。基礎部分３を支持レール２から解離するために、可動に配置さればね負荷されたラッチ２１はそのばね力に抗して引き戻されねばならない。そのために、ラッチ２１は、係止突起２２に対向して位置する端部に、開口を備えたロック解除区分２３を有している。開口内には外部からねじ回しの先端が差し込まれることができる。
【００２７】
電子ハウジング１の上側部分４はその上面にカバー２４を有している。カバー２４は旋回可能に、上側部分４に形成されたフレーム２５に保持されている。カバー２４は選択的に上側部分４と同じ材料および同じ色から製作されている（図１）か、または透明な材料から製作されている（図３）ことができる。閉鎖された位置でカバー２４を固定するために、カバー２４とフレーム２５との間には相応の係止装置が形成されていることができる。その他、ただし、カバー２４を閉鎖された位置でシールにより閉鎖することも可能である。このことは、カバー２４の開放時に、カバー２４の下に配置されたキーまたは調整ポテンショメータにより、電気的な装置の、特別な場合にのみ変更されるべきパラメータ設定（Ｐａｒａｍｅｔｒｉｅｒｕｎｇ）が実施され得るとき、有利であることができる。
【００２８】
図７および図８から見て取れるように、上側部分４の狭幅面には、プリント基板１１で発生する熱を電子ハウジング１から導出するために、通気開口２６が形成されていることができる。さらに、図７および図８から見て取れるように、電子ハウジング１には種々異なる接続端子６が設けられていることができる。原則的に、その際すべての公知の型式の接続端子６、すなわち特にねじ式接続端子、引張ばね式接続端子または脚ばね式接続端子が、プリント基板５に接続可能である。提供される接続箇所の個数も、直接図８から見て取れるように可変である。さらに、電子ハウジング１の端面の縁部を超えて張り出す接続端子６または接続プラグもしくは接続ソケット２７をプリント基板５に接続する可能性も存在する。接続端子６または接続プラグもしくは接続ソケット２７の選択時のこのフレキシビリティは、接続端子６の領域で狭幅面において開いている上側部分４のジオメトリ（幾何学形状）により可能である。
【図面の簡単な説明】
【００２９】
【図１】本考案による電子ハウジングの第１の実施例を示す図である。
【図２】基礎部分および上側部分を部分的に切り取った、図１と類似の電子ハウジングを示す図である。
【図３】支持レール上に載設する前の、図２の電子ハウジングを示す図である。
【図４】第１の空間方向で配置された複数のプリント基板を備えた本考案による電子ハウジングの基礎部分を示す図である。
【図５】第２の空間方向で配置された複数のプリント基板を備えた電子ハウジングの基礎部分を示す図である。
【図６】上側部分を部分的に切り取った、第３の空間方向で配置された複数のプリント基板を備えた電子ハウジングを示す図である。
【図７】本考案による電子ハウジングの別の実施例を示す図である。
【図８】１つの共通の支持レール上に配置された３つの実施例の電子ハウジングを示す図である。
【符号の説明】
【００３０】
１  電子ハウジング
２  支持レール
３  基礎部分
４  上側部分
５  （ベース）プリント基板
６  接続端子
７  側壁
８  側壁
９  開口
１０  開口
１１  （プリント基板５とは別の）プリント基板
１２  保持突起
１３  係止突起
１４  係止開口
１５  開口
１６  ピンコンタクト
１７  ソケット
１８  バスコネクタ
１９  ピンコンタクト
２０  係止腕
２１  ラッチ
２２  係止突起
２３  ロック解除区分
２４  カバー
２５  フレーム
２６  通気開口
２７  接続プラグもしくは接続ソケット
【図１】
0003133052.tif 000003
【図２】
0003133052.tif 000004
【図３】
0003133052.tif 000005
【図４】
0003133052.tif 000006
【図５】
0003133052.tif 000007
【図６】
0003133052.tif 000008
【図７】
0003133052.tif 000009
【図８】
0003133052.tif 000010